(57)【要約】【課題】簡便に電気光学装置における画面上下方向の輝度ムラを改善する。【解決手段】電気光学装置（２００）は、表示領域（１０ａ）に配列された複数の画素部（１００ｃ）を有する表示部（１００）と、表示領域に表示されるフレーム画像を構成する画像信号のフレーム期間（Ｆ）のうち一のサブフレーム期間（ＳＦ１）において、フレーム画像が表示領域に表示されるように、複数の画素部に画像信号を順次供給することによって、表示部を駆動する駆動手段（２０２、２０３）と、該駆動手段に、フレーム期間毎に、画像信号の供給を開始するタイミングを通知するタイミング信号（ＤＹ）を供給するタイミング信号供給手段（２０１）と、フレーム期間のうち前記一のサブフレーム期間に続く他のフレーム期間（ＳＦ２）中、且つ駆動手段にタイミング信号が供給される前に、画像信号の極性を反転するように駆動手段を制御する制御手段（２０１）とを備える。【選択図】図６
2009042437.tif 000002
【特許請求の範囲】
【請求項１】
表示領域に配列された複数の画素部を有する表示部と、
前記表示領域に表示されるフレーム画像を構成する画像信号のフレーム期間のうち一のサブフレーム期間において、前記フレーム画像が前記表示領域に表示されるように、前記複数の画素部に前記画像信号を順次供給することによって、前記表示部を駆動する駆動手段と、
該駆動手段に、前記フレーム期間毎に、前記画像信号の供給を開始するタイミングを通知するタイミング信号を供給するタイミング信号供給手段と、
前記フレーム期間のうち前記一のサブフレーム期間に続く他のサブフレーム期間中、且つ前記駆動手段に前記タイミング信号が供給される前に、前記画像信号の極性を反転するように前記駆動手段を制御する制御手段と
を備えることを特徴とする電気光学装置。
【請求項２】
前記他のサブフレーム期間は、垂直帰線期間であることを特徴とする請求項１に記載の電気光学装置。
【請求項３】
前記制御手段は、前記駆動手段に前記タイミング信号が供給される前、且つ前記他のサブフレーム期間の先頭から所定期間後に、前記極性を反転するように前記駆動手段を制御することを特徴とする請求項１又は２に記載の電気光学装置。
【請求項４】
表示領域に配列された複数の画素部を有する表示部と、前記表示領域に表示されるフレーム画像を構成する画像信号のフレーム期間のうち一のサブフレーム期間において、前記フレーム画像が前記表示領域に表示されるように、前記複数の画素部に前記画像信号を順次供給することによって、前記表示部を駆動する駆動手段と、該駆動手段に、前記フレーム期間毎に、前記画像信号の供給を開始するタイミングを通知するタイミング信号を供給するタイミング信号供給手段とを備える電気光学装置の駆動方法であって、
前記フレーム期間のうち前記一のサブフレーム期間に続く他のサブフレーム期間中、且つ前記駆動手段に前記タイミング信号が供給される前に、前記画像信号の極性を反転するように前記駆動手段を制御する制御工程を備えることを特徴とする駆動方法。
【請求項５】
請求項１乃至３のいずれか一項に記載の電気光学装置を備えることを特徴とする電子機器。
【発明の詳細な説明】
【技術分野】
【０００１】
本発明は、例えばアクティブマトリックス型の液晶装置等の電気光学装置及びその駆動方法、並びに該電気光学装置を備えた、例えば液晶プロジェクタ等の電子機器の技術分野に関する。
【背景技術】
【０００２】
この種の電気光学装置では、表示される画像の画質の向上が図られる。例えば、特許文献１には、アクティブマトリックス型液晶表示装置における、信号線電位の極性が正であり、且つ、画素電極の電位の極性が正である保持期間に、走査線電位を他の保持期間における走査線電位よりも高く設定することによって、画面上下方向の輝度傾斜を軽減する技術が記載されている。
【０００３】
【特許文献１】特開平８−２２７０６７号公報
【発明の開示】
【発明が解決しようとする課題】
【０００４】
しかしながら、上述の背景技術によれば、走査線が３種類の電位（即ち、オン状態の電位、オフ状態の電位及び第３の電位）をとるようにしなければならず、回路が複雑になる可能性があるという技術的問題点がある。
【０００５】
本発明は、例えば上記問題点に鑑みてなされたものであり、簡便に画面上下方向の輝度ムラを改善することができる電気光学装置及びその駆動方法、並びに電子機器を提供することを課題とする。
【課題を解決するための手段】
【０００６】
本発明の電気光学装置は、上記課題を解決するために、表示領域に配列された複数の画素部を有する表示部と、前記表示領域に表示されるフレーム画像を構成する画像信号のフレーム期間のうち一のサブフレーム期間において、前記フレーム画像が前記表示領域に表示されるように、前記複数の画素部に前記画像信号を順次供給することによって、前記表示部を駆動する駆動手段と、該駆動手段に、前記フレーム期間毎に、前記画像信号の供給を開始するタイミングを通知するタイミング信号を供給するタイミング信号供給手段と、前記フレーム期間のうち前記一のサブフレーム期間に続く他のサブフレーム期間中、且つ前記駆動手段に前記タイミング信号が供給される前に、前記画像信号の極性を反転するように前記駆動手段を制御する制御手段とを備える。
【０００７】
本発明の電気光学装置によれば、表示部は、例えば電気光学物質の一例としての液晶を一対の基板間に狭持してなる液晶パネルである。表示部は、例えば基板上の表示領域に、例えばマトリックス状に平面配列された複数の画素部を有している。複数の画素部の各々は、例えば薄膜トランジスタ（Ｔｈｉｎ  Ｆｉｌｍ  Ｔｒａｎｓｉｓｔｏｒ：ＴＦＴ）等の電子素子や画素電極等を含んでなる。
【０００８】
例えば液晶パネルの駆動回路等である駆動手段は、フレーム画像を構成する画像信号のフレーム期間の前半を占める画像表示期間である、フレーム画像に対応して予め設定されたフレーム期間（例えば１／６０秒等）を分割した一のサブフレーム期間において、フレーム画像が表示領域に表示されるように、複数の画素部に信号線等を介して画像信号を供給することによって、表示部を駆動する。
【０００９】
タイミング信号供給手段は、駆動手段に対し、フレーム期間毎に（即ち、例えば画像表示期間毎に或いは一のサブフレーム期間毎に）該駆動手段が複数の画素部に画像信号の供給を開始するタイミングを通知する、例えばスタートパルス等であるタイミング信号を、所定間隔（典型的には、フレーム期間と同じ周期）で供給する。駆動手段は、所定の幅を有するタイミング信号の立下りから所定時間経過後に、複数の画素部に画像信号を供給する。
【００１０】
制御手段は、フレーム期間を分割した、例えば垂直帰線期間である他のサブフレーム期間中、且つ駆動手段にタイミング信号が供給される前（即ち、タイミング信号の立上りの前）に、画像信号の極性（即ち、信号線電位の極性）を反転するように駆動手段を制御する（即ち、フレーム反転駆動）。
【００１１】
本願発明者の研究によれば、一般に、保持期間における画素電極電位の極性と画像信号の極性とが逆である時間に応じて、リーク電流の影響により画素電極電位が低下する。このため、表示部の表示領域の上部の画素電極の電位と下部の画素電極の電位との間で電位差が生じ、該生じた電位差に応じた輝度ムラが生じることが判明している。
【００１２】
しかるに本願発明者は、画素電極電位の極性と画像信号の極性とが逆である期間において、画素電極電位が時間と共に指数関数的に減少することを見出し、当該電気光学装置における制御手段を、他のサブフレーム期間中、且つ駆動手段にタイミング信号が供給される前に、画像信号の極性を反転するように駆動手段を制御するように構成している。
【００１３】
即ち、画像信号の極性を反転してから、実際に複数の画素部に画像信号が供給されるまでの時間を全画素部に対して大なり小なり延長することによって、何ら延長しなかった場合と比較して、表示領域の上部の画素電極の電位と下部の画素電極の電位との間の電位差を小さくしている。
【００１４】
以上の結果、本発明の電気光学装置によれば、画像信号の極性を反転する時期をずらすという簡便な方法により画面上下方向の輝度ムラを改善することができる。
【００１５】
本発明の電気光学装置の一態様では、前記他のサブフレーム期間は、垂直帰線期間である。
【００１６】
この態様によれば、当該電気光学装置は、フレーム期間のうち垂直帰線期間以外の期間（即ち、画像表示期間）を、複数の画素部への画像信号の供給に使用することができ、例えば信号線等に供給される画像信号の駆動周波数を最大限に下げることができる。逆に、駆動周波数を上げることによって、垂直帰線期間を長くすれば、画像信号の極性を反転してから、実際に複数の画素部に画像信号が供給されるまでの時間をより長くすることができる。
【００１７】
本発明の電気光学装置の他の態様では、前記制御手段は、前記駆動手段に前記タイミング信号が供給される前、且つ前記他のサブフレーム期間の先頭から所定期間後に、前記極性を反転するように前記駆動手段を制御する。
【００１８】
この態様によれば、制御手段は、他のサブフレーム期間の先頭から所定期間後に、画像信号の極性を反転するように駆動手段を制御する。ここに、本発明に係る「所定期間」は、表示領域に表示されるフレーム画像に画像信号の極性が反転されることによる影響がなく、且つ極性を反転してから実際に複数の画素部に画像信号が供給されるまでの時間が可能な限り長くなるような期間として設定されている。このため、所定期間を、例えば１水平走査期間に設定すれば、確実にして、フレーム画像の最終行への書き込みが完了した後に極性反転を行うことができ、且つ他のサブフレーム期間を長く取れるので、極めて有利である。
【００１９】
本発明の電気光学装置の駆動方法は、上記課題を解決するために、表示領域に配列された複数の画素部を有する表示部と、前記表示領域に表示されるフレーム画像を構成する画像信号のフレーム期間のうち一のサブフレーム期間において、前記フレーム画像が前記表示領域に表示されるように、前記複数の画素部に前記画像信号を順次供給することによって、前記表示部を駆動する駆動手段と、該駆動手段に、前記フレーム期間毎に、前記画像信号の供給を開始するタイミングを通知するタイミング信号を供給するタイミング信号供給手段とを備える電気光学装置の駆動方法であって、前記フレーム期間のうち前記一のサブフレーム期間に続く他のサブフレーム期間中、且つ前記駆動手段に前記タイミング信号が供給される前に、前記画像信号の極性を反転するように前記駆動手段を制御する制御工程を備える。
【００２０】
本発明の電気光学装置の駆動方法によれば、上述した本発明の電気光学装置と同様に、簡便に画面上下方向の輝度ムラを改善することができる。
【００２１】
尚、本発明の電気光学装置の駆動方法においても、上述した本発明の電気光学装置における各種態様と同様の各種態様を採ることが可能である。
【００２２】
本発明の電子機器は、上記課題を解決するために、上述した本発明の電気光学装置（但し、その各種態様を含む）を備える。
【００２３】
本発明に係る電子機器によれば、上述した本発明に係る電気光学装置を具備してなるので、簡便に画面上下方向の輝度ムラを改善することができる。この結果、高品質な画像表示を行うことに適した、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００２４】
本発明の作用及び他の利得は次に説明する実施するための最良の形態から明らかにされよう。
【発明を実施するための最良の形態】
【００２５】
以下、本発明の電気光学装置に係る実施形態を図１乃至図７を参照して説明する。以下の実施形態では、本発明に係る電気光学装置を、ＴＦＴアクティブマトリックス駆動形式の液晶装置に適用したものである。尚、以下で参照する各図においては、各層や各部材を図面上で認識可能な程度の大きさとするため、各層や各部材毎に縮尺を異ならしめてある。
【００２６】
先ず、本実施形態に係る電気光学装置の構成について、図１を参照して説明する。ここに図１は、本実施形態に係る電気光学装置のブロック図である。
【００２７】
図１において、電気光学装置２００は、液晶パネル１００、コントローラ２０１、走査線駆動回路２０２、データ線駆動回路２０３及び画像ソース２０４を備えて構成されている。ここに、本実施形態に係る「液晶パネル１００」は、本発明に係る「表示部」の一例であり、本実施形態に係る「コントローラ２０１」は、本発明に係る「タイミング信号供給手段」及び「制御手段」の一例である。また、本発明に係る「走査線駆動回路２０２」及び「データ線駆動回路２０３」は、本発明に係る「駆動手段」の一例である。
【００２８】
液晶パネル１００は、走査線１００ａ、データ線１００ｂ及び画素１００ｃを有して構成されている。詳しくは、液晶パネル１００には、ｎ本の走査線１００ａが、図１においてＸ（行）方向に延在して形成され、ｍ本のデータ線１００ｂがＹ（列）方向に沿って延在して形成されている。そして、液晶パネル１００における画像表示領域１０ａにおいて、走査線１００ａ及びデータ線１００ｂが互いに交差し、該交差に対応して画素１００ｃが設けられて、マトリックス状に配列されている。
【００２９】
ここで、液晶パネル１００の全体構成について、図２及び図３を参照して説明する。ここに図２は、ＴＦＴアレイ基板をその上に形成された各構成要素と共に対向基板の側からみた平面図であり、図３は、図２のＨ−Ｈ´線断面図である。
【００３０】
図２及び図３において、液晶パネル１００では、ＴＦＴアレイ基板１０及び対向基板２０が対向配置されている。ＴＦＴアレイ基板１０は、例えば、石英基板、ガラス基板、シリコン基板等の透明基板からなり、対向基板２０は、例えば、石英基板、ガラス基板等の透明基板からなる。ＴＦＴアレイ基板１０と対向基板２０との間に液晶層５０が封入されており、ＴＦＴアレイ基板１０と対向基板２０とは、複数の画素１００ｃが設けられた領域に対応する画像表示領域１０ａの周囲に位置するシール領域に設けられたシール材５２により相互に接着されている。
【００３１】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００３２】
図２において、シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３３】
周辺領域のうち、シール材５２が配置されたシール領域の外側に位置する領域には、データ線駆動回路２０３及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。走査線駆動回路２０２は、この一辺に隣接する２辺に沿ったシール領域の内側に、額縁遮光膜５３に覆われるようにして設けられている。
【００３４】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路２０３、走査線駆動回路２０２、上下導通端子１０６等とを電気的に接続するための引回配線９０が形成されている。
【００３５】
図３において、ＴＦＴアレイ基板１０上には、駆動素子である画素スイッチング用のＴＦＴや走査線、データ線等の配線が作り込まれた積層構造が形成される。この積層構造の詳細な構成については図３では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００３６】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００３７】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００３８】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図３には図示しないカラーフィルタが形成されるようにしてもよい。対向基板２０の対向面上における、対向電極２１上には、配向膜２２が形成されている。
【００３９】
尚、図２及び図３に示したＴＦＴアレイ基板１０上には、これらのデータ線駆動回路２０３、走査線駆動回路２０２、サンプリング回路７等に加えて、複数のデータ線１００ｂに所定電圧レベルのプリチャージ信号を画像信号に先行して各々供給するプリチャージ回路、製造途中や出荷時の当該液晶装置の品質、欠陥等を検査するための検査回路等を形成してもよい。
【００４０】
再び図１に戻り、コントローラ２０１は走査線駆動回路２０２及びデータ線駆動回路２０３に対する制御を行い、走査線駆動回路２０２及びデータ線駆動回路２０３は液晶パネル１００に対する制御を行う。
【００４１】
コントローラ２０１は、例えばパソコン、映像チューナ、ＤＶＤビデオプレーヤ、ビデオレコーダ等の画像ソース２０４から、画像データＤ及び同期信号Ｓを取得する。そして、コントローラ２０１は、取得した画像データＤ及び同期信号Ｓに基づいて、垂直走査用のスタートパルスＤＹ、走査側転送クロックＣＬＹ、水平走査用のスタートパルスＤＸ、データ転送クロックＣＬＸ及びデータ信号Ｄｓを生成する。ここに、本実施形態に係る「スタートパルスＤＹ」は、本発明に係る「タイミング信号」の一例である。
【００４２】
スタートパルスＤＹは、垂直走査の開始タイミングで出力されるパルス信号である。走査側転送クロックＣＬＹは、垂直走査を規定する信号である。データ転送クロックＣＬＸは、データ線駆動回路２０３へデータを転送するタイミングを規定する信号である。データ信号Ｄｓは、画像データＤに対応するデータである。
【００４３】
尚、コントローラ２０１、走査線駆動回路２０２、及びデータ線駆動回路２０３は、その他にも各種の信号が入出力されるが、本実施形態と特に関係の無いものについては説明を省略する。
【００４４】
走査線駆動回路２０２は、コントローラ２０６から、スタートパルスＤＹ及び走査側転送クロックＣＬＹを取得し、液晶パネル１００の走査線１００ａに対して走査信号Ｇ１、Ｇ２、Ｇ３、…、Ｇｎを出力する。具体的には、走査線駆動回路２０２は、コントローラ２０１から供給されるスタートパルスＤＹを走査側転送クロックＣＬＹに従って転送し、走査線１００ａの各々に走査信号Ｇ１、Ｇ２、Ｇ３、…、Ｇｎとして順次排他的に供給するものである。データ線駆動回路２０３は、コントローラ２０１から、スタートパルスＤＸ、データ転送クロックＣＬＸを取得して、サンプリング回路駆動信号をサンプリング回路７に供給する。サンプリング回路７は、このサンプルリング回路駆動信号に応じて、コントローラ２０１から供給されるデータ信号Ｄｓを、サンプリンクする。これらにより、液晶パネル１００のデータ線１００ｂに対して、本発明に係る「画像信号」の一例としてのデータ信号ｄ１、ｄ２、ｄ３、…、ｄｍが供給される。
【００４５】
ここで、図４を参照して、画素１００ｃについて説明を加える。図４は、画素１００ｃにおける各種素子、配線等の等価回路である。
【００４６】
図４に示すように、液晶パネル１００の複数の画素１００ｃの各々に、画素電極９ａと該画素電極９ａをスイッチング制御するためのＴＦＴ３０とが形成されている。データ信号ｄ１、ｄ２、ｄ３、…、ｄｍを供給されるデータ線１００ｂが、ＴＦＴ３０のソースに電気的に接続されている。データ線１００ｂに書き込むデータ信号ｄ１、ｄ２、ｄ３、…、ｄｍは、この順に線順次に供給しても構わないし、相隣接する複数のデータ線１００ｂ同士に対して、グループ毎に供給するようにしてもよい。
【００４７】
また、ＴＦＴ３０のゲートにゲート電極が電気的に接続されており、所定のタイミングで、走査線１００ａ及びゲート電極にパルス的に走査信号Ｇ１、Ｇ２、Ｇ３、…、Ｇｎを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線１００ｂから供給されるデータ信号ｄ１、ｄ２、ｄ３、…、ｄｍを所定のタイミングで書き込む。
【００４８】
画素電極９ａを介して液晶に書き込まれた所定レベルのデータ信号ｄ１、ｄ２、ｄ３、…、ｄｍは、対向基板２０に形成されると共に共通電位ＬＣＣＯＭとされた対向電極２１との間で一定期間保持される。液晶は、印加される電圧レベルにより分子集合の配向や秩序が変化することにより、光を変調し、階調表示を可能とする。ノーマリーホワイトモードであれば、各画素１００ｃの単位で印加された電圧に応じて入射光に対する透過率が減少し、ノーマリーブラックモードであれば、各画素１００ｃ単位で印加された電圧に応じて入射光に対する透過率が増加され、全体として電気光学装置２００からはデータ信号に応じたコントラストをもつ光が出射する。
【００４９】
ここで保持されたデータ信号がリークするのを防ぐために、画素電極９ａと対向電極２１との間に形成される液晶容量と並列に蓄積容量７０を付加する。蓄積容量７０の一方の電極は、走査線１００ａに並んで設けられ、共通電位ＬＣＣＯＭとされた容量線３００と電気的に接続されており、固定電位側容量電極として機能する。蓄積容量７０の他方の電極は、画素電極９ａと電気的に接続されており、画素電位側容量電極として機能する。
【００５０】
次に、本実施形態に係る電気光学装置２００の動作について、図５及び図６を参照して説明する。図５は、画像表示領域１０ａにおける複数の画素１００ｃに、データ信号ｄ１、ｄ２、ｄ３、…、ｄｍが書き込まれる方向を説明する説明図であり、図６は、データ信号ｄ１、ｄ２、ｄ３、…、ｄｍの極性を反転させる反転タイミングを示すタイミングチャートである。
【００５１】
図５に示すように、データ信号ｄ１、ｄ２、ｄ３、…、ｄｍは、画像表示領域１０ａの左上隅の画素１００ｃから順に、左から右へ、上から下まで書き込まれる（即ち、線順次走査）。
【００５２】
図６において、本実施形態では、データ信号ｄｉ（ｉ＝１、２、３、…、ｍ）は、所定周期（ここでは、１フレーム期間と同じ周期）で、共通電位ＬＣＣＯＭに対して高位側の正極性（図中「＋」で示す）と低位側の負極性（図中「−」で示す）とで極性反転されつつデータ線１００ｂへ供給され、更にＴＦＴ３０を介して画素電極９ａへ供給される。即ち、本実施形態では、画像表示領域１０ａの複数の画素１００ｃにおいて、画素電極９ａを同一極性の電位で夫々駆動しつつ、係る電位極性をフレーム周期で反転させる、所謂「フレーム反転駆動」が行われる。
【００５３】
走査線駆動回路２０２及びデータ線駆動回路２０３は、フレーム期間Ｆのうち一のサブフレーム期間ＳＦ１において、フレーム画像が画像表示領域１０ａに表示されるように、走査信号Ｇ１、Ｇ２、Ｇ３、…、Ｇｎ及びデータ信号ｄｉを供給することによって、液晶パネル１００を駆動する。
【００５４】
コントローラ２０１は、フレーム期間Ｆのうちサブフレーム期間ＳＦ１に続く、垂直帰線期間である他のサブフレーム期間ＳＦ２中、且つ走査線駆動回路２０２にスタートパルスＤＹが供給される前（例えば、フレーム期間ＳＦ１の終わりから１水平走査期間経過後）に、データ信号ｄｉ極性を反転するように、データ線駆動回路２０３を制御する。
【００５５】
本願発明者の研究によれば、データ信号ｄｉの極性が反転されてから、実際に画素電極９ａに供給されるまでの時間に応じて、即ち、保持期間において、画素電極９ａの電位に対しデータ線１００ｂの電位の極性が反転している時間に応じて、リーク電流の影響により画素電極９ａの電位が低下する。このため、画像表示領域１０ａの上部（例えば、図５における点Ａ）の画素電極９ａの電位と、下部（例えば、図５における点Ｂ）の画素電極９ａの電位との間で電位差が生じ、該生じた電位差に応じた輝度ムラが生じる。
【００５６】
他方、画素電極９ａの電位は、時間と共に指数関数的に減少することが判明している。具体的には、画素電極９ａの電位をＶとすると、その時間変化は、Ｖ＝ｅｘｐ（−Ａ／Ｃ×ｔ）＋Ｖ０−１…（１）と表される。ここで、Ａは定数であり、Ｃは画素１００ｃの容量であり、Ｖ０は時点ｔ＝０（即ち、データ信号ｄｉの極性が反転された時点）における画素電極９ａの電位である。
【００５７】
上記式（１）をグラフに表すと、図７に示すようになる。ここに、図７は、画素電極９ａの電位の時間変化を示すグラフである。例えば、図６において、データ信号ｄｉの極性が反転された時点をｔ０として、画像表示領域１０ａの点Ａ及び点Ｂ各々の画素電極９ａにデータ信号ｄｉが夫々供給される時点をｔＡ及びｔＢとすると、点Ａ及び点Ｂ間に生じる電位差は、図７における電位差ΔＶｎとなる。
【００５８】
仮に、図８に示すように、スタートパルスＤＹの立上りと同時にデータ信号ｄｉの極性を反転すると、点Ａ及び点Ｂ間に生じる電位差は、図７における電位差ΔＶｒとなってしまう。ここに図８は、図６と同趣旨の、本実施形態の電気光学装置２００の比較例に係るデータ信号ｄｉの極性を反転させる反転タイミングを示すタイミングチャートである。尚、図８において、時点ｔ０’はデータ信号ｄｉの極性が反転された時点を示し、時点ｔＡ’及び時点ｔＢ’は、点Ａ及び点Ｂ各々の画素電極９ａにデータ信号ｄｉが夫々供給される時点を示している。
【００５９】
しかるに本実施形態に係る電気光学装置２００では、上述の如く、コントローラ２０１によって、サブフレーム期間ＳＦ２中、且つ走査線駆動回路２０２にスタートパルスＤＹが供給される前に、データ信号ｄｉの極性を反転するように、データ線駆動回路２０３が制御されている。これにより、画像表示領域１０ａにおける上下方向で生じる電位差を低減することができ、輝度ムラを改善することができる。
【００６０】
＜電子機器＞
次に、図９を参照しながら、上述した電気光学装置を電子機器の一例であるプロジェクタに適用した場合を説明する。上述した電気光学装置２００における液晶パネル１００は、プロジェクタのライトバルブとして用いられている。図９は、プロジェクタの構成例を示す平面図である。
【００６１】
図９に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００６２】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００６３】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００６４】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００６５】
尚、図９を参照して説明した電子機器の他にも、モバイル型のパーソナルコンピュータや、携帯電話、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００６６】
尚、本発明は、上述した実施形態に限られるものではなく、請求の範囲及び明細書全体から読み取れる発明の要旨、或いは思想に反しない範囲で適宜変更可能であり、そのような変更を伴う電気光学装置及びその駆動方法、並びに電子機器もまた、本発明の技術的範囲に含まれるものである。
【図面の簡単な説明】
【００６７】
【図１】本発明の実施形態に係る電気光学装置のブロック図である。
【図２】本発明の実施形態に係る液晶パネルを各構成要素と共に対向基板側から見た平面図である。
【図３】図２のＨ−Ｈ´線断面図である。
【図４】本発明の実施形態に係る画素における各種素子、配線等の等価回路である。
【図５】本発明の実施形態に係る画像表示領域における複数の画素に、データ信号が書き込まれる方向を説明する説明図である。
【図６】本発明の実施形態に係る電気光学装置におけるデータ信号の極性を反転させる反転タイミングを示すタイミングチャートである。
【図７】本発明の実施形態に係る画素電極の電位の時間変化を示すグラフである。
【図８】本発明の実施形態の比較例に係る電気光学装置におけるデータ信号の極性を反転させる反転タイミングを示すタイミングチャートである。
【図９】本発明に係る電子機器の一例としてのプロジェクタの構成例を示す平面図である。
【符号の説明】
【００６８】
１０ａ…画像表示領域、１００…液晶パネル、１００ａ…走査線、１００ｂ…データ線、１００ｃ…画素、２００…電気光学装置、２０１…コントローラ、２０２…走査線駆動回路、２０３…データ線駆動回路、２０４…画像ソース
【図１】
2009042437.tif 000003
【図２】
2009042437.tif 000004
【図３】
2009042437.tif 000005
【図４】
2009042437.tif 000006
【図５】
2009042437.tif 000007
【図６】
2009042437.tif 000008
【図７】
2009042437.tif 000009
【図８】
2009042437.tif 000010
【図９】
2009042437.tif 000011